(57)【要約】画像またはデジタルオーディオファイル等の大きいデータオブジェクトを複数のユーザと共有する機会、およびデータオブジェクトソースからデータオブジェクトをアップロードし、そして複数のユーザと共有するために利用可能にするためにアップロードされたデータオブジェクトをリモートサーバに転送する機会をモバイルハンドヘルドデジタルデバイスのユーザに提供するシステムおよび方法が開示される。共有されたデータオブジェクトは、オブジェクトへのリンクを介して、または共有されたデータオブジェクトの縮小サイズのバージョンによってアクセス可能であり得る。【選択図】図１
2004537104.tif 000002
【特許請求の範囲】
【請求項１】
モバイルデバイスを利用するデータオブジェクトを共有するための方法であって、該モバイルデバイスは、固有の識別子およびリモートサーバにおいてアクセス可能な複数のサービスの内の少なくとも１つへのアクセスを有し、該方法は、
（Ａ）該固有の識別子と該リモートサーバにおいてアクセス可能な複数のサービスの内の該少なくとも１つからのサービスのアカウントとの間のリンク関係を確立するステップと、
（Ｂ）該リモートサーバにおいて、該固有の識別子にリンクされた該アカウントを含む該サービスへのアクセスのために、該固有の識別子を有する該モバイルデバイスからリクエストを受信するステップであって、該サービスは、該リモートサーバにおいてアクセス可能である、ステップと、
（Ｃ）該固有の識別子を有する該モバイルデバイスにリクエストを転送するステップであって、該応答は、複数のエンティティへのアクセスを提供し、該エンティティは、データオブジェクトのリストおよびアドレスのリストを含み、該エンティティは、該固有の識別子にリンクされた該アカウントに関連付けられる、ステップと、
（Ｄ）該リモードサーバにおいて、該固有の識別子を有する該モバイルデバイスから、選択されたデータオブジェクトのインディケーションおよび複数のアドレスの内の少なくとも１つのインディケーションを含むリクエスト、ならびに複数のアドレスの内の該示された少なくとも１つに該示されたデータオブジェクトを送信するためのリクエストを受信するステップであって、該アドレスは、該アドレスのリストから選択される、ステップと、
（Ｅ）該選択されたデータオブジェクトへのアクセスを提供する転送を、複数のアドレスの内の該少なくとも１つに送信するステップと
を含む、方法。
【請求項２】
（Ｆ）前記リモードサーバにおいて、前記固有の識別子を有する前記モバイルデバイスから、データオブジェクトソースからのデータオブジェクトを受信するステップであって、該データオブジェクトは、前記データオブジェクトのリストに加えられる、ステップ
をさらに含む、請求項１に記載の方法。
【請求項３】
（Ｇ）前記データオブジェクトソースから前記データオブジェクトを受信すると、前記固有の識別子を有する前記モバイルデバイスに受領の状態の通知を転送するステップ
をさらに含む、請求項２に記載の方法。
【請求項４】
ステップ（Ｃ）において、前記データオブジェクトのリストへのアクセスは、縮小サイズのデータオブジェクトへのアクセスをさらに含む、請求項１に記載の方法。
【請求項５】
ステップ（Ｅ）において、前記転送は、前記選択されたデータオブジェクトの縮小サイズのバージョンへのアクセスを提供する、請求項１に記載の方法。
【請求項６】
ステップ（Ｄ）および（Ｅ）において、複数のアドレスの内の前記少なくとも１つは、他のモバイルデバイスのアドレスを含む、請求項１に記載の方法。
【請求項７】
ステップ（Ｄ）および（Ｅ）において、複数のアドレスの内の前記少なくとも１つは、他のモバイルデバイスのアドレスを含む、請求項４に記載の方法。
【請求項８】
前記データオブジェクトは画像である、請求項１に記載の方法。
【請求項９】
前記データオブジェクトは画像である、請求項５に記載の方法。
【請求項１０】
ステップ（Ｅ）の前に、前記選択されたデータオブジェクトを処理して、最適な知覚可能な画像品質を提供するステップ
をさらに含む、請求項９に記載の方法。
【請求項１１】
モバイルデバイスを利用するデータオブジェクトを共有するためにコンピュータ読み出し可能コードを内部に組み込むコンピュータ読み出し可能媒体であって、該モバイルデバイスは、固有の識別子およびリモートサーバの複数のサービスの内の少なくとも１つへのアクセスを有し、該コードは、コンピュータ制御システムに、
該固有の識別子と該リモートサーバでアクセス可能な複数のサービスの内の該少なくとも１つからのサービスのアカウントとの間のリンク関係を確立させ、
該リモートサーバにおいて、該固有の識別子にリンクされたアカウントを含むサービスにアクセスするために、該固有の識別子を有する該モバイルデバイスからリクエストを受信させ、ここで該サービスは、該リモートサーバにおいてアクセス可能であり、
該固有の識別子を有する該モバイルデバイスに該リクエストへの応答を転送させ、ここで、該応答は、データオブジェクトのリストおよびアドレスのリストへのアクセスを提供し、
該リモートサーバにおいて、該固有の識別子を有する該モバイルデバイスから、選択されたデータオブジェクトのインディケーションおよび複数のアドレスの内の少なくとも１つのインディケーションを受信させ、ここで該アドレスは、該アドレスのリストから選択され、
該選択されたデータオブジェクトへのアクセスを提供する転送を複数のアドレスの内の該少なくとも１つに送信させる、コンピュータ読み出し可能媒体
を含むコンピュータプログラム製品。
【請求項１２】
前記コンピュータ読み出し可能なコードは、さらに前記コンピュータ制御システムに、
前記リモートサーバにおいて、前記固有の識別子を有するモバイルデバイスからデータオブジェクトソースからのデータオブジェクトを受信させ、ここで、該データオブジェクトは、前記データオブジェクトのリストに追加される、請求項１１に記載のコンピュータプログラム製品。
【請求項１３】
前記コンピュータ読み出し可能なコードは、さらに前記コンピュータ制御システムに、
前記データオブジェクトソースから前記データオブジェクトを受信すると、前記固有の識別子を有する前記モバイルデバイスに受領の状態の通知を転送させる、請求項１２に記載のコンピュータプログラム製品。
【請求項１４】
モバイルデバイスを利用するデータオブジェクトを共有するためのシステムであって、該モバイルデバイスは、固有の識別子を有し、該システムは、複数のサービスの内の少なくとも１つへのアクセスを提供し、
該固有の識別子と複数のサービスの内の該少なくとも１つからのサービスのアカウントとの間のリンク関係を確立する手段と、
少なくとも１つの複数のネットワークを介して情報を受信かつ転送するための手段と
を含む、システム。
【請求項１５】
情報を受信かつ転送するための前記手段は、
前記固有の識別子にリンクされた前記アカウントを含む前記サービスへのアクセスのために、該固有の識別子を有する該モバイルデバイスからリクエストを受信する手段と、
該固有の識別子を有する該モバイルデバイスに該リクエストに対する応答を転送する手段であって、該応答は、データオブジェクトのリストおよびアドレスのリストへのアクセスを提供する、手段と、
該固有の識別子を有する該モバイルデバイスから、選択されたデータオブジェクトのインディケーションおよび複数のアドレスの内の少なくとも１つのインディケーションを受信する手段であって、該アドレスは、該アドレスのリストから選択される、手段と、
該選択されたデータオブジェクトへのアクセスを提供する転送を、複数のアドレスの内の該少なくとも１つに送信する手段と
を含む、請求項１４に記載のシステム。
【請求項１６】
情報を受信かつ転送する前記手段は、
前記固有の識別子を有する該モバイルデバイスから、データオブジェクトソースからのデータオブジェクトを受信する手段であって、該データオブジェクトは、前記データのリストに追加される、手段
をさらに含む、請求項１５に記載のシステム。
【請求項１７】
情報を受信かつ転送する手段は、
前記データオブジェクトソースからデータオブジェクトを受信すると、前記固有の識別子を有する前記モバイルデバイスに受領の状態の通知を転送する手段
をさらに含む、請求項１６に記載のシステム。
【請求項１８】
前記リクエストに対する応答を転送する前記手段は、該応答はまた、縮小サイズのデータオブジェクトへのアクセスを提供する、請求項１５に記載のシステム。
【請求項１９】
前記選択されたデータオブジェクトへのアクセスを提供する転送を送信する前記手段はまた、該選択されたデータオブジェクトの縮小サイズのバージョンへのアクセスを提供する、請求項１５に記載のシステム。
【請求項２０】
前記データオブジェクトは画像である、請求項１４に記載のシステム。
【請求項２１】
前記データオブジェクトは画像である、請求項１９に記載のシステム。
【請求項２２】
最適な知覚可能な画像品質を提供するために前記選択されたデータオブジェクトを処理する手段
をさらに含む、請求項２１のシステム。
【発明の詳細な説明】
【背景技術】
【０００１】
（発明の背景）
（発明の分野）
本発明は、モバイルハンドヘルドデバイスの使用に関する。より詳細には、本発明は、データオブジェクトを共有するためのモバイルハンドヘルドデバイスを利用することに関する。
【０００２】
（背景の説明）
Ｗｏｒｌｄ  Ｗｉｄｅ  Ｗｅｂへのモバイルアクセスのためのインフラストラクチャが成長するに伴って、多くの可能なアプリケーションもまた急増している。ｗｏｒｌｄ  ｗｉｄｅ  Ｗｅｂの受容もまた、特に日本および欧州において成長し続けている。２０００年９月までに、ＮＴＴ  ＤｏＣｏＭｏ  Ｉ−ｍｏｄｅ（Ｒ）サービスは、１５００万を超えるユーザを有した。２０００年９月までに、Ｉ−ｍｏｄｅ（Ｒ）サービスは、銀行業務、取引（セキュリティ、保険のクレジットカード）、旅行サービス、チケットサービス（コンサート、イベント等）、レストラン情報、電子メール、ニュース、ゲーム、およびアニメーション動画を含む。ハンドヘルドデバイスを介してアクセス可能な個人サービスおよび電子商取引の見通しは、刺激的である。
【０００３】
しかし、スマート電話、スマート通信、およびモバイルＰＤＡ等のモバイルハンドヘルドデバイスのいくつかの特性は、ワイヤレスｗｏｒｌｄ  ｗｉｄｅ  Ｗｅｂアプリケーションの開発に対するハードウエアの挑戦を呈している。モバイルハンドヘルドデバイスは、小型メモリ、低電力ＣＰＵ、小型ディスプレイ、制限された色およびフォント、ならびに制限された入力方法を有する。このようなハードウエア制限は、コンパクトマークアップ言語（コンパクトＨＴＭＬ）、ワイヤレスマークアップ言語（ＷＭＬ）、およびワイヤレスアプリケーションプロトコル（ＷＡＰ）の開発を誘発してきた。
【０００４】
２０００年には、配備されるインフラストラクチャは、コンパクトＨＴＭＬ（ｃ−ＨＴＭＬ）、あるいはワイヤレスアプリケーションプロトコル（ＷＡＰ）およびそのマークアップ言語ＷＭＬのいずれかを使用する。２１７０万の加入者（世界中のワイヤレスインターネットユーザの約６０％を構成する）を有するＮＴＴ  ＤｏＣｏＭｏ  Ｉ−ｍｏｄｅ（Ｒ）サービスは、ｃ−ＨＴＭＬおよび従来の回路交換システムに加えてパケット交換ンターネットプロトコルシステム（ＰＤＣ−個人デジタルセルラー）を使用する（回路交換システムでは、接続後、ネットワークの部分がその接続専用となる。パケット交換ネットワークでは、情報がパケットに分割され、ネットワークを介して送信され、そして受信端で再組立てされ、従って、全体のネットワークは、全ての接続に対して利用可能である）。コンパクトＨＴＭＬは、ＪＰＥＧ画像をアクセプトされない。Ｉ−ｍｏｄｅ（Ｒ）サービスでは、画像は、２５６色（８ビットカラー）までおよび９４×７２ドットサイズのＧＩＦフォーマットでなければならない。Ｉ−ｍｏｄｅ（Ｒ）では、コンテンツ（すなわち、関心のあるウエブサイト）が、サービスプロバイダによって、標準的なウエブプロトコルであるＨＴＴＰを用いていわゆるＩ−ｍｏｄｅ（Ｒ）センターに提供される。Ｉ−ｍｏｄｅ（Ｒ）センターは、ＨＴＴＰプロトコルを電話によってアクセプトされた縮小されたプロトコルに変換し、それにより、コンテンツを電話に配信することを可能にする。
【０００５】
ワイヤレスインターネットユーザの他の３９％は、ワイヤレスアプリケーションプロトコル（ＷＡＰ）を利用する電話を使用する。２０００年には、ＷＡＰ利用可能電話は、既存の回線交換ネットワークを利用した。ＷＡＰに対するマークアップ言語は、ＷＭＬである。ＨＴＭＬと同様に、ＷＭＬは、ＷＡＰ利用可能デバイスに構築されたブラウザ（マイクロブラウザ）によって読み込まれ、そして解釈される。ＷＡＰプロトコル仕様は、１つのグラフィックフォーマットＷＢＭＰ（ＢＭＰフォーマットの１ビットバージョン）のみを許容する。２０００年には、１つのみのＷＡＰブラウザがカラー画像をアクセプトした。ＷＡＰ使用可能電話では、ユーザがマイクロブラウザを介してＵＲＬをリクエストする場合、ＵＲＬに対するリクエストがＷＡＰゲートウエイに送信される。ゲートウエイは、インターネットに接続し、ウエブサーバにおけるインターネットサービスとＷＡＰ使用可能電話との間のインターフェースを提供する。いくつかのＷＡＰゲートウエイは、ＨＴＭＬドキュメントをＷＭＬに変換する。他の場合では、関心のあるサービス（ウエブページ）を含むウエブサーバがＷＭＬドキュメントを提供する。
【０００６】
ワイヤレス転送に対して利用可能な帯域幅が、ワイヤレスシステムが第３および第４世代に移行するにつれて増加するが、帯域幅は、常に不足した商品である（２Ｇおよび２．５Ｇシステムの帯域幅は、大きいファイルに対して長い転送時間を生じさせる）。同じハードウエアおよび帯域幅制限は、画像、デジタルオーディオファイル、および大きいドキュメント等の大きいデータオブジェクトの共有を困難にする。
【０００７】
大きいデータオブジェクトを扱うことを可能にするために、いくつかの解決策が提示され実現されてきた。ＤｏＣｏＭｏは、１１０Ｋの画像を獲得し、そしてそれを別の電話またはＰＣに転送することが可能であるカメラを有するユニットを導入した（ＷＳＪ．ｃｏｍ，「Ｆｒｏｍ  Ｓｍａｒｔ  Ｃａｒｄ  ｔｏ  Ｖｉｄｅｏ  Ｇｏｇｇｌｅｓ：Ａ  Ｇｌｏｂａｌ  Ｇｕｉｄｅ  ｔｏ  Ｎｉｆｔｙ  Ｄｅｖｉｃｅ」，２０００年８月３日、を参照のこと）。このカメラは、２つのパーティ間で画像の共有、または多くのステップ処理の後、ＰＣおよびインターネットを使用する画像の共有を可能する。ＤｏＣｏＡｌ．ｃｏｍは、ＰＣまたはＣａｍｅｓｓｅデバイス上で作成され、かつ添付画像を含む電子メールが、モバイルデバイスを介してアクセス可能な添付された画像へのリンクを提供することを可能にするサービスを提供する（「Ｓｅｎｄ  ｉｍａｇｅ  ｔｏ  Ｉ−ｍｏｄｅ（Ｒ）  ｐｈｏｎｅｓ」、ＭｏｂｉｌｅＭｅｄｉａＪａｐａｎ．ｃｏｍ、ｈｔｔｐ：／／ｗｗｗ．ＭｏｂｉｌｅＭｅｄｉａＪａｐａｎ．ｃｏｍ／ｎｅｗｓｄａｅｋ／ｄｏｃｏａｌ，５／７／０１）。しかし、モバイルハンドヘルドデバイスを介した複数のユーザ間の画像の共有が実現されない。ＬｉｇｈｔＳｕｒｆは、１つのワイヤレスデバイスから別の有線デバイスまたはワイヤレスデバイス（ＰＣ等）に画像の転送を最適化しかつスピードアップするための技術を開発した。しかし、ＬｉｇｈｔＳｕｒｆの技術は、複数のユーザ間の画像の共有を可能にしない。従って、ユーザは、画像またはデジタルオーディオファイル等の大きいデータオブジェクトを複数のユーザと共有する機会が提供されない。
【発明の開示】
【発明が解決しようとする課題】
【０００８】
（発明の要旨）
本発明の主目的は、画像またはデジタルオーディオファイル等の大きいデータオブジェクトを複数のユーザと共有する機会をモバイルハンドヘルドデジタルデバイスのユーザに提供することである。
【０００９】
本発明の別の目的は、モバイルハンドヘルドデジタルデバイスのユーザが、データオブジェクトソースからのデータオブジェクトをアップロードし、そしてアップロードされたデータオブジェクトを複数のユーザとの共有のために利用可能にするために、アップロードされたデータオブジェクトをリモートサーバに転送することを可能にすることである。
【００１０】
本発明の別の目的もまた、モバイルハンドヘルドデジタルデバイスのユーザが選択されたデータオブジェクトの縮小サイズのバージョンを複数のユーザと共有することを可能にすることである。
【課題を解決するための手段】
【００１１】
これらおよび他の目的を達成するためには、本発明の一局面は、モバイルデバイスを利用するデータオブジェクトを共有するための方法を含み、該モバイルデバイスは、固有の識別子およびリモートサーバにおける複数のサービスの内の少なくとも１つへのアクセスを有する。本方法は、（ａ）固有の識別子とリモートサーバにおける多くのサービスの内の少なくとも１つからのサービスのアカウントとの間のリンク関係を確立するステップと、（ｂ）リモードサーバにおいて、固有の識別子にリンクされたアカウントを含むサービスへのアクセスのために、固有の識別子を有するモバイルデバイスからリクエストを受信するステップであって、サービスはリモードサーバにおいてアクセス可能である、ステップと、（ｃ）リクエストへの応答を固有の識別子を有するモバイルデバイスに転送するステップであって、応答は、複数のエンティティへのアクセスを提供し、エンティティは、データオブジェクトのリストおよびアドレスのリストを含み、エンティティは、固有の識別子にリンクされたアカウントに関連付けられる、ステップと、（ｄ）リモードサーバにおいて、固有の識別子を有するモバイルデバイスから、選択されたデータオブジェクトのインディケーション、および複数のアドレスの内の少なくとも１つのアドレスのインディケーションを含むリクエストと、複数のアドレスの内の表示された少なくとも１つに表示されたデータオブジェクトとを送信するリクエストを受信するステップであって、このアドレスは、アドレスのリストから選択される、ステップと、（ｅ）選択されたデータオブジェクトへのアクセスを提供する転送を複数のアドレスの内の少なくとも１つに送信するステップとを含む。
【００１２】
本発明の別の局面では、本方法はまた、リモートサーバにおいて固有の識別子を有するモバイルデバイスから、データオブジェクトソースからデータオブジェクトを受信するステップを含み、データオブジェクトは、データオブジェクトのリストに追加される。
【００１３】
本発明のさらに別の局面では、本方法はまた、データオブジェクトのソースからデータオブジェクトを受信すると、固有の識別子を有するモバイルデバイスに受理状態の通知を転送するステップを含む。
【００１４】
本発明のさらなる局面では、上記方法において参照された、データオブジェクトおよび選択されたデータオブジェクトのリストへのアクセスは、縮小サイズのデータオブジェクトへのアクセスを含む。
【００１５】
本発明のさらに別の局面では、データオブジェクトは画像であり、画像は、他のモバイルデバイスに送信され、本方法はまた、最適な知覚可能な画像品質を提供するために、ステップ（ｅ）の前に、選択されたデータオブジェクトを処理するステップを含む。
【００１６】
本発明のさらなる局面は、システムに本方法を実行させる方法およびコンピュータ読み出し可能コードをインプリメントするためのシステムである。
【００１７】
本発明の方法およびシステムは、モバイルハンドヘルドデバイスのユーザが大きいデータオブジェクトを共有することを可能にする。大きいデータオブジェクトは、画像、デジタルオーディオファイル、または大きいドキュメント等の任意の大きいデータオブジェクトであり得る。画像、デジタルオーディオファイル、または大きいドキュメントの場合、縮小サイズのデータオブジェクトが生成され得る。
【００１８】
本発明の考慮された特性である新規の特徴は、添付の特許請求の範囲において詳細と共に説明される。しかし、本発明自体は、添付の図面と共に読む場合、本発明の他の目的および利点と共にその構成および動作の方法の両方に関して、例示された実施形態の以下の説明から最良に理解される。
【００１９】
（詳細な説明）
モバイルハンドヘルドデジタルデバイスのユーザが画像またはデジタルオーディオファイル等の大きいデータオブジェクトを複数の他のユーザと共有することを可能にするために、モバイルデバイス（モバイルデバイスは、固有の識別子およびリモートサーバにおける複数のサービスの内の少なくとも１つへのアクセスを有する）を利用するデータオブジェクトを共有するためのシステムおよび方法が開示される。本発明のシステムおよび方法の実施形態の説明が最初に与えられる。次いで、ＷＡＰ使用可能デバイスを利用する本発明のシステムおよび方法の実施形態の詳細な説明が記載される。
【００２０】
（システムおよび方法）
図１は、モバイルハンドヘルドデジタルデバイスのユーザが、画像またはデジタルオーディオファイル等の大きいデータオブジェクトを複数の他のユーザと共有することを可能にするシステムの実施形態を示す。モバイルハンドヘルドデバイス１０（本実施形態では、ワイヤレス電話）は、いくつかのネットワークの内の少なくとも１つを介したリモートサーバ５０へのアクセスを有する。モバイルハンドヘルドデバイス１０は、固有の識別子を有する。モバイルハンドヘルドデバイス１０がワイヤレス電話である実施形態では、固有の識別子は電話番号であり得る。デバイスが製造される場合、デバイスに永久に格納されたデバイスシリアルナンバーもまた固有の識別子であり得る。２つのネットワークが図１に示される。デバイス１０がＷＡＰ使用可能デバイスである場合、１つのネットワーク（例えばネットワークＢ３０）のみが必要である。デバイス１０がｉ−ｍｏｄｅ（Ｒ）電話である場合、ネットワークＡ２０は回路交換ネットワークであり、ネットワークＢ３０はパケット交換ネットワークである。ネットワークＡ２０およびネットワークＢ３０の両方は、データをリモートサーバ５０に転送し得る。リモートサーバ５０と通信するために、ネットワークＡ２０およびネットワークＢ３０の両方は、ゲートウエイサーバ（図示せず）および／またはモデム（これも図示せず）を含み得る。デバイス１０がＷＡＰ使用可能デバイスである場合、ネットワークＢ３０は、リモートサーバにおけるインターネットサービスとＷＡＰ使用可能デバイスとの間のインターフェースを提供するＷＡＰゲートウエイ（図示せず）を含む。デバイス１０がｉ−ｍｏｄｅ（Ｒ）電話である場合、ネットワークＡ２０（回路スイットネットワーク）は、リモートサーバ５０にデータを送信するために使用されると、メッセージングのためのＤｏＣｏＭｏプロトコルから、メールまたはメッセージングのためのＴＣＰ／ＩＰプロトコルに変換するためのプロトコル変換サーバ（これも図示せず）を含む必要がある。ネットワークＢ３０（パケット交換ネットワーク）は、ＨＴＴＰプロトコルと電話１０によって受理された縮小されたプロトコルとの間で変換するＩ−ｍｏｄｅ（Ｒ）センターサーバ（これも図示せず）を含む。リモートサーバ５０は、ネットワーク３０、２０からリクエストおよびデータを受信し、そしてネットワーク３０、２０に応答を送信する。リクエスト、データ、および応答は、ルータ４０、４１を介して受信かつ送信される。リモートサーバ５０は、インターネット６０を介してデータを他のウエブサイト７０と交換し得る。ルータ４２を介して通信が発生する。
【００２１】
図１、２ａ、２ｂ、および２ｃに示されるように、画像を共有するためにモバイルデバイス１０を利用する場合、モバイルデバイス１０のユーザは、リモートサーバ５０を介してアクセス可能なサービスを選択し、そしてリモートサーバ５０にリクエストを送信する（ステップ１００）。サービスは別のウエブサイト７０に含まれる。リモートサーバ５０からの応答は、ユーザが所望のサービスのアカウントに対するユーザアカウント名１０２を入力することを可能にする。アカウント名１０２は、既存のアカウント名であってもよいし、新しいアカウント名でもよい。リクエストおよび応答の以後の交換では、ユーザは、パスワード１０６を入力する。パスワード１０６は、既存のパスワードであってもよいし、新しいパスワードでもよい。モバイルデバイス１０に関連付けられた固有の識別子は、当業者に周知の手段（ＨＴＴＰまたはＷＡＰヘッダにおける呼び出し側ＩＤまたはデータな等）によって、ＷＡＰ使用可能デバイスにおけるＷＡＰゲートウエイまたはＩ−ｍｏｄｅ（Ｒ）デバイスにおけるＩ−ｍｏｄｅ（Ｒ）センターサーバに対して利用可能である。Ｉ−ｍｏｄｅ（Ｒ）サービスに対して、リモートサーバ５０におけるＩ−ｍｏｄｅ（Ｒ）サイトは、モバイルデバイス１０の固有のＩＤを獲得かつ使用することが可能である。ＷＡＰ使用可能デバイスに対して、ＷＡＰゲートウエイは、固有の識別子を含むＨＴＴＰヘッダのストリングをリモートサーバ５０に戻し得る（例えば、Ｐｈｏｎｅ．ｃｏｍの  ＵＰ．ｌｉｎｋゲートウエイは、ユーザのナンバーを戻し、Ｅｒｉｃｓｓｏｎのゲートウエイは、固有の識別子を含むストリングを戻す）。識別子が、ユーザアカウント（アカウント名およびパスワードによって決定された）がアクセスされる時にリモートサーバにアクセス可能である場合、ユーザアカウントと識別子との間のリンク関係がリモートサーバにおいて確立され得る（ステップ１１０）ことが当業者に明らかであるべきである。固有の識別子を有するモバイルデバイスのユーザが固有の識別子にリンクされたアカウントを含むサービスへのアクセスに対するリクエストを送信する場合、サービスは、リンクされたアカウントにアクセスする。サービスへのアクセスに対するこのリクエストは、ステップ１００の初期リクエストであってもよいし、以後のリクエストであってもよい（リンク関係が変更されるまで）。一旦リンク関係が確立されると、固有の識別子１０を有するモバイルデバイスから生じ、そしてリモートサーバ５０において受信されたサービスへのアクセスに対する任意のリクエストは、サービスにおけるリンクされたアカウントへのアクセスをもたらす（ステップ１１５）。リモートサーバ５０において、リンクされたアカウントへのアクセスのためのリクエストは、サービス７０を収容するウエブサイトに転送される。ユーザのアカウント情報は、そのウエブサイト７０からアクセス可能なデータ格納デバイス７５に常駐する。ウエブサイト７０がリモートサーバ５０において配置されてもよいし、インターネット６０を介してアクセス可能であってもよいことが明らかであるべきである。リモートサーバ５０は、リクエストへの応答を送信し、サービスのユーザアカウント（リン���されたアカウント）へのアクセスを提供する。モバイルデバイス１０のユーザは、リモートサーバ５０からの応答を受信し、ユーザは、メッセージ、データオブジェクトのリスト、新しいデータオブジェクトのリスト、アドレスのリストを含むユーザのアカウント１１７へのアクセスを受信する。
【００２２】
データオブジェクトを共有するために、モバイルデバイス１０のユーザは、データオブジェクトのリストからデータオブジェクトを選択するか、またはアドレスのリストから新しいデータオブジェクトおよびアドレスのリストを選択する（ステップ１３０）。データオブジェクトおよびアドレスの選択は、リモートサーバ５０へのリクエストによって通信される。データオブジェクトのリストへのアクセスはまた、縮小サイズのデータオブジェクトへのアクセスを含み得る。従って、ユーザがデータオブジェクトのリストからデータオブジェクトを選択する場合、ユーザは、そのデータオブジェクトの縮小サイズのバージョンへのアクセスを獲得する。リモートサーバ５０では、選択されたデータオブジェクトの縮小サイズのバージョンは、サービスを含むウエブサイト７０から獲得される。選択されたデータオブジェクトの縮小サイズのバージョンは、リモートサーバ５０におけるモバイルデバイス１０への転送に適したフォーマットに変換される。選択されたデータオブジェクトの縮小サイズのバージョンは、リモートサーバ５０からモバイルデバイス１０に転送される。次いで、ユーザはその選択を検証し、そして選択されたデータオブジェクトのインディケーション、選択されたアドレスのインディケーション、および選択されたアドレスを有する選択されたデータオブジェクトを共有するためのリクエストをリモートサーバ５０に送信する（ステップ１４０）。リモートサーバでは、選択されたデータオブジェクトへのリンクは、サービスを含むウエブサイト７０から獲得される。選択されたデータオブジェクトへのリンクを含む応答は、リモートサーバ５０から選択されたアドレスに送信される（ステップ１５０）。モバイルデバイス１０のユーザおよび／または選択されたデータオブジェクトへのリンクの受領側が、モバイルデバイス１０のデータポート（図示せず）に接続されたプリンタ上でプリントされ得、選択されたデータオブジェクトは、同日に出願された「Ｍｅｔｈｏｄ  Ａｎｄ  Ａｐｐａｒａｔｕｓ  Ｆｏｒ  Ｐｒｉｎｔｉｎｇ  Ｒｅｍｏｔｅ  Ｉｍａｇｅｓ  Ｕｓｉｎｇ  Ａ  Ｍｏｂｉｌｅ  Ｄｅｖｉｃｅ  Ａｎｄ  Ｐｒｉｎｔｅｒ」と題された、米国特許出願ＡＡ／ＡＡＡ，ＡＡＡ号（代理人事件番号第８５０４号）に開示された方法を用い、この出願を本明細書中で参考として援用する。
【００２３】
モバイルデバイス１０のユーザは、サービスのユーザのアカウントにデータオブジェクトをアップロードし得る。新しいデータオブジェクト２５をアップロードするためには、接続は、データオブジェクトソース１５とモバイルデバイス１０のデータポート（図示されない）との間で確立されなければならない（ステップ１６０）。接続は、物理的に配線された接続であってもよいし、ＢｌｕｅＴｏｏｔｈ規格によって説明されるような赤外線リンクまたはワイヤレスリンクを利用するワイヤレス接続であってもよい。次いで、新しいデータオブジェクト２５は、モバイルデバイス１０からリモートサーバ５０に転送される（ステップ１７０）。新しいデータオブジェクト２５の転送は、データデバイスとしてデータオブジェクトソース１５を用いることによって達成される。データオブジェクトソース１５は、モバイルデバイス１０のデータポートに接続され、新しいデータオブジェクト２５は、リモートサーバに送信される。データオブジェクトソースは、モデム（例えば、ＩＰスタック）のいくつかの能力を有しなければならない。この動作方法では、転送される画像は、モバイルデバイスのディスプレイに表示されない。あるいは、この動作方法では、モバイルデバイスは、Ｗｅｂアクセスデバイス状態からデータまたはボイスデバイス状態にスイッチしなければならない。リモートサーバ５０がモバイルデバイスを識別し得る（例えば、モバイル電話の場合、リモートサーバ５０は、呼び出し側ＩＤを用いて電話番号を識別し得る）、モバイルデバイス１０の識別子は、ユーザのアカウントにリンクされるため、新しいデータオブジェクトは、ユーザのアカウントに配置される（ステップ１７５）。
【００２４】
新しいデータオブジェクトのリモートサーバへの転送の完了の後、リモートサーバは、転送の成功のインディケーションをモバイルデバイス１０に転送する。転送が成功した場合、新しいデータオブジェクトの受領の確認が、リモートサーバ５０から送信される（ステップ１８５）。転送が成功しなかった場合、エラーメッセージがリモートサーバ５０から送信される（ステップ１９０）。メッセージの確認およびエラーメッセージは、電子メールであり得るか、またはメッセージは、ユーザのアカウントに送られる。
【００２５】
（ワイヤレス電話を用いる画像の共有）
モバイルデバイス１０がワイヤレス電話２００であり、データオブジェクトが画像である本発明の一実施形態の詳細は、以下に与えられる。Ｗｅｂ使用可能なワイヤレス電話のための唯一のオープン規格がＷＡＰ規格であるために、詳細がＷＡＰシステムに対して以下に与えられ、そして利用可能である場合、補助的な詳細がＤｏＣｏＭｏ  Ｉ  ｍｏｄｅ（Ｒ）システムに対して与えられる。
【００２６】
図３Ａは、電話モードにおけるＷＡＰウエブ使用可能な電話のためのグラフィカルユーザインターフェースの図を示す。図３Ｂは、ウエブ使用可能モードにおけるＷＡＰウエブ使用可能な電話のためのグラフィカルユーザインターフェースの図を示す。図３Ｂに示されたように、ＷＡＰサービスモードを選択した後に、ユーザは、ブックマークまたはマイクロブラウザを選択し得る。ユーザがブックマークを選択する場合に現れるワイヤレス電話２００のグラフィカルユーザインターフェースのグラフィカルな図が図５Ａに示される。図４および３Ｂを参照すると、ワイヤレス電話２００（その電話２００は、図３Ｂに示されるようなウエブアクセスモードである）のユーザがブックマークを選択する場合、ＷＡＰリクエストは、ネットワーク２１０を介して電話２００によって転送され、ＷＡＰゲートウエイに（図示せず）よってウエブリクエストに変換され、リモートサーバ５０に転送される。リモートサーバ５０は、ＷＡＰゲートウエイおよびネットワーク２１０を介して電話２００内のマイクロブラウザに応答を再送信する。応答を受信した後に現れるようなワイヤレス電話２００のグラフィカルユーザインターフェースのグラフィカルな図が図５Ａに示される。ユーザは、図５Ａに示されたブックマークページに列挙されたサービスの内の１つ（例えば、Ｐｏｌａｒｏｉｄ  Ｉ−Ｚｏｎｅ）を選択する。再度この選択は、ＷＡＰリクエストがネットワーク２１０を介して電話２００によって転送され、そしてＷＡＰゲートウエイ（図示せず）によって、リモートサーバ５０に転送されるウエブリクエストに変換されることを引き起こす。リモートサーバ５０からの第２の応答は、ユーザが所望のサービスのアカウントに対するユーザアカウント名１０２（図２Ａ）を入力することを可能にする。第２の応答を受信した後に現れるようなワイヤレス電話２００のグラフィカルユーザインターフェースのグラフィカルな図が図５Ｂに示される。図５Ｂに示されるように、ユーザ名を入力することは、第３の応答を引き起こす第３のリクエストを生成する。第３の応答を受信した後に現れるようなワイヤレス電話２００のグラフィカルユーザインターフェースのグラフィカルな図が図５Ｃに示される。ユーザがパスワードを入力する。このパスワードは、別のリクエストを介してウエブサイト７０に通信される。
【００２７】
図３ｃおよび図３ｄは、Ｉ−ｍｏｄｅ（Ｒ）ウエブ使用可能な電話に対するグラフィカルユーザインターフェースの図を示す。Ｉ−ｍｏｄｅ（Ｒ）パケット交換ネットワークは、Ｉ−ｍｏｄｅ（Ｒ）ボタン３２０を押すことによってアクセスされる。以前のパラグラフで与えられたサービスのアカウントにアクセスするための本方法の実施形態の説明を、ＷＡＰゲートウエイがｉ−ｍｏｄｅ（Ｒ）センターサーバによって置換され、そしてＷＡＰへの参照がＩ−ｍｏｄｅ（Ｒ）への参照によって置換される場合、Ｉ−ｍｏｄｅ（Ｒ）ウエブ使用可能な電話に適用する。厳密に説明すると、Ｉ−ｍｏｄｅ（Ｒ）はプロトコルではなく、Ｉ−ｍｏｄｅ（Ｒ）ネットワーク（インターネットプロトコルまたはＨＴＴＰのサブセットであるべきである）に使用されたプロトコルの仕様が一般に利用可能ではない。
【００２８】
ワイヤレス電話２００に関連付けられた固有の識別子は、ＷＡＰ使用可能なデバイスにおけるＷＡＰゲートウエイまたは当業者に周知の手段（呼び出し側ＩＤ等）によってＩ−ｍｏｄｅ（Ｒ）デバイスにおけるＩ−ｍｏｄｅ（Ｒ）センターサーバに対して利用可能である。Ｉ−ｍｏｄｅ（Ｒ）デバイスに対して、リモートサーバ５０におけるＩ−ｍｏｄｅ（Ｒ）サイトは、モバイルデバイス１０の固有のＩＤを獲得かつ使用することが可能である。ＷＡＰ使用可能なデバイスに対して、ＷＡＰゲートウエイは、固有の識別子を含むＨＴＴＰヘッダにおけるストリングをリモートサーバ５０に戻し得る（例えば、Ｐｈｏｎｅ．ｃｏｍの  ＵＰ．ｌｉｎｋゲートウエイは、ユーザのナンバーを戻し、Ｅｒｉｃｓｓｏｎのゲートウエイは、固有の識別子を含むストリングを戻す）。識別子が、ユーザアカウント（アカウント名およびパスワードによって決定された）がアクセスされる時にリモートサーバにアクセス可能である場合、ユーザアカウントと識別子との間のリンク関係がリモートサーバにおいて確立され得る（ステップ１１０、図２Ａ）ことが当業者に明らかになるべきである。説明された実施形態では、アクセスされるサービスのアカウントに対する異なるユーザ名およびパスワードが入力されるまで、固有の識別子およびユーザのアカウントがリンクされたままである。他の可能な実施形態では、固有の識別子とユーザのアカウントの間のリンクは、ＷＡＰ使用可能なモードが入力されるかまたは予め設定され得る度に変更され得る。
【００２９】
Ｉ−ｍｏｄｅ（Ｒ）電話に対して、リモートサーバ５０におけるＩ−ｍｏｄｅ（Ｒ）サイトは、モバイルデバイス１０の固有のＩＤを取得しかつ使用することが可能である（「Ｃａｎ  Ｉ  ｕｓｅ  ｃｏｏｋｉｅｓ  ｗｈｅｎ  ｄｅｖｅｌｏｐｉｎｇ  ｉ−ｍｏｄｅ（Ｒ）−ｃｏｍｐａｔｉｂｌｅ  ｓｉｔｅ？」、Ｉ−ｍｏｄｅ（Ｒ）  Ｔｅｃｈｎｉｃａｌ  ＦＡＱ、「ｈｔｔｐ：／／ｗｗｗ．ｍｏｂｉｌｅｍｅｄｉａｊａｐａｎ．ｃｏｍ／ｉｍｏｄｅｆａｑ／ｑ２２」を参照のこと）。ＷＡＰゲートウエイがＩ−ｍｏｄｅ（Ｒ）センターサーバによって置換され、ＷＡＰへの参照がＩ−ｍｏｄｅ（Ｒ）への参照によって置換される場合、以前のパラグラフで与えられた説明をＩ  ｍｏｄｅ（Ｒ）ウエブ使用可能電話に適用する。
【００３０】
図６および７ａを参照すると、ワイヤレス電話２００のユーザが一連のリクエストおよび応答を介してブックマークにアクセスした後、ワイヤレス電話２００のグラフィカルユーザインターフェースのグラフィカルな図が図７ａに示される。ユーザが、固有の識別子にリンクされたアカウントを含むサービス（例えば、Ｐｏｌａｒｏｉｄ  Ｉ−Ｚｏｎｅ）を選択する場合、ＷＡＰリクエストがネットワーク２１０を介して電話２００によって転送され、ＷＡＰゲートウエイ（図示せず）によってリモートサーバ５０に転送されるウエブリクエストに変換される。ウエブサイト７０においてリンクされたアカウントへのアクセスは、リモートサーバ５０によって取得される。リモートサーバ５０は、ゲートウエイにおけるＷＡＰおよびネットワーク２１０を介して電話２００におけるマイクロブラウザに応答を再転送する（ＷＡＰゲートウエイがＩ−ｍｏｄｅ（Ｒ）センターサーバによって置換され、そしてＷＡＰへの参照がＩ−ｍｏｄｅ（Ｒ）への参照によって置換される場合、上記で与えられた説明をＩ  ｍｏｄｅ（Ｒ）ウエブ使用可能電話に適用する）。応答を受信した後に現れるようなワイヤレス電話２００のグラフィカルユーザインターフェースのグラフィカルな図が図７ｂに示される。図７ｂから理解されるように、応答は、ユーザのアカウントＭｙ  Ｚｏｎｅへのアクセスを提供する。なぜなら、ユーザのアカウントは、固有の識別子に既にリンクされているためである。ユーザのアカウントエリアＭｙ  Ｚｏｎｅを選択することは、リクエストをリモートサーバ５０に転送させる。電話２００において受信された場合に、このリクエストに対する応答は、ユーザのアカウントでアクセス可能なアイテムを表示させるワイヤレス電話２００のグラフィカルユーザインターフェースを生じる。ユーザのアカウントにおいてアクセス可能なアイテムは、図７ｃに示されるような、メッセージ、画像のリスト（Ｐｈｏｔｏ  Ａｌｂｕｍ）、新しい画像のリスト（Ｎｅｗ  Ｐｉｃｔｕｒｅｓ）、アドレスのリスト（Ａｄｄｒｅｓｓ  Ｂｏｏｋ）を含む。ユーザがＮｅｗ  ＰｉｃｔｕｒｅｓまたはＰｈｏｔｏ  Ａｌｂｕｍを選択する場合、リクエストはリモートサーバ５０に転送される。リモートサーバでは、選択されたデータオブジェクトへのリンクがサービスを含むウエブサイト７０から取得される。Ｎｅｗ  ＰｉｃｔｕｒｅｓまたはＰｈｏｔｏ  Ａｌｂｕｍに対するリクエストへの応答は、図７ｄに示されたのと同様であるが、画像２５０がないワイヤレス電話２００のグラフィカルユーザインターフェースを生じる。ユーザが上または下方向にスクロールする場合、選択された画像の縮小サイズのバージョンに対するリクエストがリモートサーバ５０に送信される。リモートサーバ５０において、選択された画像の縮小サイズのバージョンは、サービスを含むウエブサイト７０から取得され、そしてモバイルデバイス１０への転送に適するフォーマットに変換される。ＷＡＰ使用可能な電話に対して、選択された画像の縮小サイズのバージョンは、ＷＢＭＰフォーマットに変換される。Ｉ−ｍｏｄｅ（Ｒ）電話に対して、選択された画像の縮小サイズのバージョンは、ＧＩＦフォーマットに変換される。本明細書中で参考として援��する米国特許第５，６９４，４８４号（Ｃｏｔｔｒｅｌｌらによる、Ｓｙｓｔｅｍ  ａｎｄ  Ｍｅｔｈｏｄ  ｆｏｒ  Ａｕｔｏｍａｔｉｃａｌｌｙ  Ｐｒｏｃｅｓｓｉｎｇ  Ｉｍａｇｅ  Ｄａｔａ  ｔｏ  Ｐｒｏｖｉｄｅ  Ｉｍａｇｅｓ  ｏｆ  Ｏｐｔｉｍａｌ  Ｐｅｒｃｅｐｔｕａｌ  Ｑｕａｌｉｔｙ、１９９７年１２月２日発行）、さらに本明細書中で参考として援用する米国特許第６，１２８，４１５号（Ｈｕｌｔｇｒｅｎらによる、Ｄｅｖｉｃｅ  Ｐｒｏｆｉｌｅｓ  ｆｏｒ  Ｕｓｅ  ｉｎ  ａ  Ｄｉｇｉｔａｌ  Ｉｍａｇｅ  Ｐｒｏｃｅｓｓｉｎｇ  Ｓｙｓｔｅｍ、２０００年１０月３日発行）、および／または同日に出願され、さらに本明細書中で参考として援用する米国特許出願第ＢＢ／ＢＢＢ，ＢＢＢ号（代理人事件番号第８５０６号）「Ｒｅｎｄｅｒｉｎｇ  Ｉｍａｇｅｓ  Ｕｔｉｌｉｚｉｎｇ  Ａｄａｐｔｉｖｅ  Ｅｒｒｏｒ  Ｄｉｆｆｕｓｉｏｎ」に説明された方法を用いることによって、公知の特性のワイヤレス電話２００におけるディスプレイに対して提供された最適な知覚品質の画像がリモートサーバ５０において生成され得る。スクロールによって生成されたリクエストに対する応答は、図７ｄに示されたワイヤレス電話２００のグラフィカルユーザインターフェースを生じる。次いで、ユーザは、選択を検証し、そして縮小サイズのバージョン（サムネイル）２５０において示された画像を選択する。ユーザが選択を検証し、そして画像を選択する場合、図７ｅに示されたワイヤレス電話２００のグラフィカルユーザインターフェースを生成する応答を生じるリモートサーバ５０にリクエストが送信される。次いで、ワイヤレス電話２００のユーザは、画像を共有またはプリントするために選択され得る。ワイヤレス電話２００のユーザは、図７ｅに示されたグラフィカルユーザインターフェースからプリントを選択することによって、米国特許出願第ＡＡ／ＡＡＡ，ＡＡＡ号に説明された方法を用いる選択された画像をワイヤレス電話２００のデータポイント（図示せず）に接続されたプリンタ上にプリントし得る。ユーザが画像を共有するように選択する場合、リモートサーバ５０にリクエストが送信され、図７ｆに示されたワイヤレス電話２００のグラフィカルユーザインターフェースを生成する応答が生じる。リモートサーバでは、ユーザのアカウントからのアドレスリストがサービスを含むウエブサイト７０から取得される。ユーザがＡｄｄｒｅｓｓ  Ｂｏｏｋを選択する場合、リモートサーバ５０に別のリクエストが送信され、図７ｇに示されたワイヤレス電話２００のグラフィカルユーザインターフェースを生成する応答が生じる。ユーザは、アドレスブック（またはアドレスリスト）を上または下方向にスクロールし、そしてアドレスを選択し得る。アドレスを選択すると、リクエストがリモートサーバ５０に送信される。リモートサーバ５０によって、共有される選択された画像へのリンクを提供する選択されたアドレスにメッセージが転送される。このメッセージは、電子メール、ＳＭＳサービスメッセージ、または任意の他の電子メッセージの形態であり得る。上述の方法が繰り返され、または容易に改変され得ることにより、選択された画像が複数の受領側で共有され、複数の画像が共有され���ることが明らかである。
【００３１】
共有される選択された画像へのリンクを提供するメッセージを受領すると、受領側は、リクエストを開始し、共有された画像へのアクセスを取得する。受領側がワイヤレス電話のユーザである場合、受領側は、米国特許出願第ＡＡ／ＡＡＡ，ＡＡＡ号に説明された方法を用いて選択された画像をワイヤレス電話のデータポート（図示せず）に接続されたプリンタ上にプリントし得る。
【００３２】
図８に示されるように、ワイヤレス電話２００のユーザは、サービスにおけるユーザのアカウントに画像をアップロードし得る。新しい画像２５０をアップロードするためには、画像ソース２３０とワイヤレス電話２００のデータポート（図示せず）との間に接続が確立されなければならない。示されたような画像ソースは、ＷｅｂｓｔｅｒＴＭスキャナーであるが、デジタルカメラ、モデムを有するデジタルカメラ、ポータブルスキャナ、および他のポータブル画像ソース等の種々の他のソースが使用され得る（Ｉ−ｍｏｄｅ（Ｒ）電話に対して、Ｃａｍｅｓｓｅシステムもまた使用され得る）。接続は、物理的に配線された接続でもよいし、ＢｌｕｅＴｏｏｔｈ規格によって説明されたような赤外線リンクまたはワイヤレスリンクを利用するワイヤレス接続であってもよい。次いで新しい画像２５０は、ワイヤレス電話２００からリモートサーバ５０に転送される。新しい画像２５０の転送は、データデバイスとして画像ソース２３０を用いることによって達成される。画像ソース２３０は、ワイヤレス電話２００のデータポートに接続され、新しい画像２５０は、リモートサーバに送信される。データオブジェクトソースは、モデムのいくつかの能力（例えばＩＰスタック）を有さなければならない。この動作方法では、転送される画像は、モバイルデバイス１０のディスプレイ中で表示されない。また、この動作方法では、モバイルデバイス１０は、ウエブアクセスデバイス状態からデータまたはボイスデバイスである状態に切り替える必要がある。ＷＡＰシステムでは、画像は、図３ａに示されるように、ワイヤレス電話２００を電話モードにすることによって送信される。Ｉ−ｍｏｄｅ（Ｒ）システムでは、電話がＩ−ｍｏｄｅ（Ｒ）モードからオフに切り替えられ、そして回路交換ＰＤＣネットワークを介して転送が発生する。リモートサーバ５０がワイヤレス電話を識別し得（例えば、リモートサーバ５０は、呼び出し側ＩＤを使用する電話番号を識別し得る）、そしてワイヤレス電話２００の識別子がユーザのアカウントにリンクされるために、リモートサーバ５０から、ユーザのアカウントにアクセス可能なデータ記憶デバイス７５内の領域に配置されるウエブサイト７０に新しい画像が転送される。
【００３３】
ワイヤレス電話２００が十分なメモリを有する場合、画像ソース２３０から新しい画像２５０がワイヤレス電話２００のメモリ記憶媒体に転送され得ることが理解されるべきである。この場合、ワイヤレス電話２００は、新しい画像２５０をリモートサーバ５０に転送するためにＷＡＰモードで使用され得る（Ｉ−ｍｏｄｅ（Ｒ）システムでは、この場合、電話２００は、新しい画像２５０をリモートサーバ５０に転送するためにＩ−ｍｏｄｅ（Ｒ）に配置され得る）。
【００３４】
新しい画像が、データ記憶領域７５に格納されたウエブサイト（例えばＩ−ゾーン）に転送され、その画像へのリンクは、ユーザのアカウントに含まれる。新しい画像のリモートサーバ５０への転送の完了の後、電話２００は、図３ｂに示されたようなＷＡＰアクセスモード（または図３ｃに示されたようなＩ−ｍｏｄｅ（Ｒ））に戻される。転送の成功のインディケーションは、固有の識別子を用いてリモートサーバ５０からワイヤレス電話２００に転送される。転送が成功した場合、新しい画像２５０の受領の確認は、リモートサーバ５０から送信される。転送が成功しなかった場合、エラーメッセージがリモートサーバから送信される。メッセージの確認およびエラーメッセージは、電子メール、ユーザのアカウントに送られるメッセージ、ＳＭＳサービスメッセージ、または電子メッセージの任意の他の形態によってなされ得る。新しい画像２５０の受領の確認を受信した後に現われるようなワイヤレス電話２００のグラフィカルユーザインターフェースのグラフィカルな図が図９ａに示され、そしてエラーメッセージを受信した後に現われるようなワイヤレス電話２００のグラフィカルユーザインターフェースのグラフィカルな図が図９ｂに示される。
【００３５】
本発明のシステムおよび方法は、固有の識別子を有するワイヤレス電話２００のユーザが複数のユーザと画像を共有することを可能にする。画像獲得デバイス２３０を利用するワイヤレス電話２００のユーザは、獲得された新しい画像２５０をウエブサイト７０におけるサービスのユーザアカウントにアップロードし、その後複数の受領側と獲得された新しい画像２５０を共有し得る。ユーザは、ＰＣまたは同様のデバイスへのアクセスを有することを必要としない。本発明のシステムおよび方法によって、ユーザが画像を取得し、そしてこの画像を複数の受領側と共有することが可能である。
【００３６】
本発明が特定の実施形態に関して上述されてきたが、上記実施形態は、例示のみとして提供され、そして本発明の範囲を限定または規定しないことが理解されるべきである。他の実施形態もまた、以下の特許請求の範囲によって規定される本発明の範囲内にある。以下の特許請求の範囲内にある他の実施形態は、以下に限定されないが、以下のものを含む。
【００３７】
データオブジェクトは、デジタルオーディオファイル、大きいテキストファイル、または画像等の任意の大きいデータオブジェクトであり得る。上記データオブジェクトの全ては、縮小サイズのバージョンを有する。
【００３８】
モバイルデバイスは、計算（ｃｏｍｐｕｔａｔｉｏｎａｌ）、メモリ、およびワイヤレス機能を有する任意のデバイス（ワイヤレス電話、スマート電話、ワイヤレス機能を有するパーソナルデジタルアシスタント、スマート通信デバイス、またはワイヤレス能力を有するインテリジェントデジタルカメラ等）であり得る。システムはＷＡＰ、ＤｏＣｏＭｏ  Ｉ−ｍｏｄｅ（Ｒ）プロトコルを用いるデータネットワークを介して転送し、または任意のその後の規格等のプロトコル、ならびにＷＭＬ、ｃ−ＨＴＭＬ、ＸＨＴＭＬ、またはマークアップ言語のための任意のその後の規格を利用することを可能にし得る。
【００３９】
ウエブサイト７０がリモートサーバ５０において共に配置され、および／または１より多いウエブサイトがアクセスされ得ることが明らかであるべきである。
【００４０】
縮小されたマークアップ言語およびプロトコルから任意の変換が使用され得、ＷＡＰゲートウエイまたはＩ−ｍｏｄｅ（Ｒ）センターサーバ等の変換システムがリモートサーバ５０に組み込まれ得る。リモートサーバ５０とモバイルデバイス１０との間に情報が流れることを可能にする任意の構成が使用され得る。
【００４１】
サーバ５０、ウエブサイト７０、およびモバイルデバイス１０（またはワイヤレス電話２００）は、計算およびデータ記憶能力を有し、そして、計算動作に対する命令を含むコンピュータ読み出し可能媒体を利用する。コンピュータ読み出し可能媒体の共通の形態は、例えば、フロッピー（Ｒ）ディスク、フレキシブルディスク、ハードディスク、磁気テープ、または任意の他の磁気媒体、ＣＤＲＯＭ、任意の他の光学媒体、パンチカード、紙テープ、穴のパターンを有する任意の他の物理媒体、ＲＡＭ、ＰＲＯＭ、およびＥＰＲＯＭ、ＦＬＡＳＨ−ＥＰＲＯＭ、任意の他のメモリチップまたはカートリッジ、以下に示されるような搬送波、あるいは、コンピュータが読み出し得る任意の他の媒体を含む。ネットワーク２０、３０、６０、および２１０は、種々のタイプの情報を表すデジタルデータストリームを搬送する電気、電磁気、または光信号を使用する。モバイルデバイス１０（またはワイヤレス電話２００）、サーバ５０、およびウエブサイト７０におよびこれらからデジタルデータを搬送する種々のネットワークおよびルータまたはモデム４０、４１、４２、および４３を通過する信号は、情報を運ぶ搬送波の例示的な形態である。モバイルデバイス１０（またはワイヤレス電話２００）、サーバ５０およびウエブサイト７０は、プログラムコードを含み得るデジタルデータを交換するため、モバイルデバイス１０（またはワイヤレス電話２００）、サーバ５０、およびウエブサイト７０は、コンピュータ制御システムの例示的な形態を含む。開示された実施形態の組み合わせ、追加、改変、および他の修正を含む本発明の他の実施形態は、当業者に明らかになり、以下の特許請求の範囲内にある。
【図面の簡単な説明】
【００４２】
【図１】図１は、モバイルハンドヘルドデジタルデバイスのユーザが大きいデータオブジェクトを共有することを可能にするシステムの実施形態のグラフィカルな図を示す。
【図２Ａ】図２Ａは、モバイルハンドヘルドデジタルデバイスのユーザが大きいデータオブジェクトを共有することを可能にする本方法の実施形態のフローチャートを示す。
【図２Ｂ】図２Ｂは、モバイルハンドヘルドデジタルデバイスのユーザが大きいデータオブジェクトを共有することを可能にする本方法の実施形態のフローチャートを示す。
【図２Ｃ】図２Ｃは、モバイルハンドヘルドデジタルデバイスのユーザが大きいデータオブジェクトを共有することを可能にする本方法の実施形態のフローチャートを示す。
【図３Ａ】図３Ａは、ウエブ利用可能電話のためのグラフィカルユーザインターフェースを示す。
【図３Ｂ】図３Ｂは、ウエブ利用可能電話のためのグラフィカルユーザインターフェースを示す。
【図３Ｃ】図３Ｃは、ウエブ利用可能電話のためのグラフィカルユーザインターフェースを示す。
【図３Ｄ】図３Ｄは、ウエブ利用可能電話のためのグラフィカルユーザインターフェースを示す。
【図４】図４は、モバイルデバイスに対応する固有の識別子とリモートサーバにおけるサービスのアカウントとの間のリンク関係を確立する間に、モバイルハンドヘルドデジタルデバイスのユーザが大きいデータオブジェクトを共有することを可能にするシステムの実施形態のグラフィカル図を示す。
【図５ａ】図５ａは、モバイルデバイスに対応する固有の識別子とリモートサーバにおけるサービスのアカウントとの間のリンク関係を確立する間のモバイルデバイスのグラフィカルユーザインターフェースのグラフィカルな図である。
【図５ｂ】図５ｂは、モバイルデバイスに対応する固有の識別子とリモートサーバにおけるサービスのアカウントとの間のリンク関係を確立する間のモバイルデバイスのグラフィカルユーザインターフェースのグラフィカルな図である。
【図５ｃ】図５ｃは、モバイルデバイスに対応する固有の識別子とリモートサーバにおけるサービスのアカウントとの間のリンク関係を確立する間のモバイルデバイス野グラフィカルユーザインターフェースのグラフィカルな図である。
【図６】図６は、モバイルハンドヘルドデジタルデバイスのユーザがデータオブジェクトを閲覧および共有する間に、大きいデータオブジェクトを共有することを可能にするシステムの実施形態のグラフィカルな図を示す。
【図７ａ】図７ａは、データオブジェクトを閲覧および共有する間のモバイルデバイスのグラフィカルユーザインターフェースのグラフィカルな図である。
【図７ｂ】図７ｂは、データオブジェクトを閲覧および共有する間のモバイルデバイスのグラフィカルユーザインターフェースのグラフィカルな図である。
【図７ｃ】図７ｃは、データオブジェクトを閲覧および共有する間のモバイルデバイスのグラフィカルユーザインターフェースのグラフィカルな図である。
【図７ｄ】図７ｄは、データオブジェクトを閲覧および共有する間のモバイルデバイスのグラフィカルユーザインターフェースのグラフィカルな図である。
【図７ｅ】図７ｅは、データオブジェクトを閲覧および共有する間のモバイルデバイスのグラフィカルユーザインターフェースのグラフィカルな図である。
【図７ｆ】図７ｆは、データオブジェクトを閲覧および共有する間のモバイルデバイスのグラフィカルユーザインターフェースのグラフィカルな図である。
【図７ｇ】図７ｇは、データオブジェクトを閲覧および共有する間のモバイルデバイスのグラフィカルユーザインターフェースのグラフィカルな図である。
【図８】図８は、モバイルハンドヘルドデジタルデバイスのユーザが、データオブジェクトのリモートサーバへのアップロードの間に、大きいデータオブジェクトを共有することを可能にするシステムの実施形態のグラフィカルな図を示す。
【図９ａ】図９ａは、データオブジェクトのアップロードの状態を通知のする間のモバイルデバイスのグラフィカルユーザインターフェースのグラフィカルな図である。
【図９ｂ】図９ｂは、データオブジェクトのアップロードの状態を通知する間の、モバイルデバイスのグラフィカルユーザインターフェースのグラフィカルな図である。
【図１】
2004537104.tif 000003
【図２Ａ】
2004537104.tif 000004
【図２Ｂ】
2004537104.tif 000005
【図２Ｃ】
2004537104.tif 000006
【図３Ｃ】
2004537104.tif 000007
【図４】
2004537104.tif 000008
【図６】
2004537104.tif 000009
【図８】
2004537104.tif 000010
【国際公開パンフレット】
2004537104.tif 000011
2004537104.tif 000012
2004537104.tif 000013
2004537104.tif 000014
2004537104.tif 000015
2004537104.tif 000016
2004537104.tif 000017
2004537104.tif 000018
2004537104.tif 000019
2004537104.tif 000020
2004537104.tif 000021
2004537104.tif 000022
2004537104.tif 000023
2004537104.tif 000024
2004537104.tif 000025
2004537104.tif 000026
2004537104.tif 000027
2004537104.tif 000028
2004537104.tif 000029
2004537104.tif 000030
2004537104.tif 000031
2004537104.tif 000032
2004537104.tif 000033
2004537104.tif 000034
2004537104.tif 000035
2004537104.tif 000036
2004537104.tif 000037
2004537104.tif 000038
2004537104.tif 000039
2004537104.tif 000040
2004537104.tif 000041
2004537104.tif 000042
2004537104.tif 000043
2004537104.tif 000044
2004537104.tif 000045
2004537104.tif 000046
2004537104.tif 000047
2004537104.tif 000048
2004537104.tif 000049
【国際公開パンフレット（コレクトバージョン）】
2004537104.tif 000050
【国際調査報告】
2004537104.tif 000051
2004537104.tif 000052
2004537104.tif 000053